(57)【特許請求の範囲】
【請求項１】
有料駐車場に設けられる中央精算機や各種自動販売機等の屋外設置型処理機であって、前記屋外設置型処理機の筐体の外側にその筐体を覆うカバーを配設するとともに、そのカバーには、前記屋外設置型処理機に設けられている案内部や操作部に対向して開口を設け、前記屋外設置型処理機の接客面に対応する前記カバーの部分に、前記屋外設置側処理機の筐体側に窪んだ凹状に形成され、かつ前記開口を有する接客面部が設けられていることを特徴とする屋外設置型処理機。
【請求項２】
屋外設置型処理機に設けられている案内部及び操作部は、カバー側に突出して形成されていることを特徴とする請求項１に記載の屋外設置型処理機。
【発明の詳細な説明】
【０００１】
【発明の属する技術分野】
本発明は、有料駐車場に設けられる中央精算機や各種自動販売機等の利用者自身によって操作される、いわゆる無人型の屋外設置型処理機に係り、特に、防犯性を良好にしたものに関する。
【０００２】
【従来の技術】
従来、中央精算機等の無人型の屋外設置型処理機（以下、「処理機」という。）の筐体は、鉄板を加工して構成されている。そして、その筐体の開閉扉は、堅固なロック機構が設けられていて、防犯性が確保されている。
【０００３】
【発明が解決しようとする課題】
しかしながら、上記従来の処理機の筐体は、鉄板を加工して構成されているので、その鉄板がカッター等により切断されやすく、したがって、防犯性に劣るという欠点があった。すなわち、処理機の筐体の開閉扉は、堅固なロック機構により防犯性が確保されているので、そのロック機構が破壊されるというおそれは低いが、筐体そのものが破壊されると、筐体内の金銭が失われたり、あるいは内部の処理ユニットが損傷を受けるおそれがあった。
【０００４】
そこで、本発明は、上記欠点を解決するためになされたものであって、その目的は、防犯性に優れた処理機を提供することにある。
【０００５】
【課題を解決するための手段】
本発明に係る処理機は、上記目的を達成するために、有料駐車場に設けられる中央精算機や各種自動販売機等の処理機であって、前記処理機の筐体の外側にその筐体を覆うカバーを配設するとともに、そのカバーには、前記処理機に設けられている案内部や操作部に対向して開口を設け、前記屋外設置型処理機の接客面に対応する前記カバーの部分に、前記屋外設置側処理機の筐体側に窪んだ凹状に形成され、かつ前記開口を有する接客面部が設けられていることを特徴としている。また、屋外設置型処理機に設けられている案内部及び操作部は、カバー側に突出して形成されていることを特徴としている。
【０００６】
【発明の実施の形態】
以下、本発明の実施の形態を図面に基づいて説明する。図１は、一実施の形態に係る処理機を有料駐車場の中央精算機に適用したときの正面図、図２は、図１のＡ−Ａ線拡大断面図、図３は、中央精算機の斜視図である。
【０００７】
本発明に係るカバーＣの内側には、図３に示されるような中央精算機１が収納されている。
【０００８】
最初に中央精算機１から説明すると、この中央精算機１の筐体２の開閉扉３の上部は、接客面４に構成されている。そして、その接客面４には、中央精算機１の稼動状態を表示する表示部５、利用者へ所定の案内を行う案内部６、精算料金（駐車料金）を表示する料金表示部７、車両（図示せず）の駐車スペース番号を表示する駐車位置表示部８、その駐車位置表示部８に駐車位置を設定するテンキーからなる入力部９、精算料金の硬貨を投入する硬貨投入口１０、精算料金の紙幣を挿入する紙幣挿入口１１、及び精算料金をプリペイドカード等のカードで支払うときのそのカードを挿入するカード挿入口１２が設けられている。
【０００９】
図１中、１３は、開閉扉３の下部に設けられている釣銭及びレシートを排出する釣銭放出口であり、また、１４は、開閉扉３を施錠するためのロック機構である。なお、上記５〜１３に示される各部は、本発明の案内部や操作部に相当している。
【００１０】
カバーＣは、十分な強度を有する鋼板から作られていて、中央精算機１と同一の鋼板製の基礎Ｂ上にその中央精算機１の筐体２を覆うように設けられている。そして、その中央精算機１の開閉扉３と対向した面は、その開閉扉３と同様の開閉部３ａに構成されている。したがって、中央精算機１を修理や保守する必要があるときは、ヒンジ３ａ′を介して開閉部３ａを開き（図２の矢印▲１▼参照）、次いで、中央精算機１の開閉扉３を開くことができる（図２の矢印▲２▼参照）。上述のように、同一の基礎Ｂ上に中央精算機１及びカバーＣを設置するようにすると、カバーＣのための基礎工事が不要となり、カバーＣを所定位置に正確に設置することが可能となる。
【００１１】
中央精算機１の接客面４に対向するカバーＣの部分は、その接客面４側に窪んだ凹状に形成された接客面部４ａに形成されている。そして、その接客面部４ａ及び開閉部３ａの下部には、開口５ａ〜１３ａが設けられている。
【００１２】
これら開口５ａ〜１３ａのうち、開口５ａは、中央精算機１の表示部５に対向した位置に設けられ、開口６ａは、中央精算機１の案内部６に対向した位置に設けられ、開口７ａは、中央精算機１の料金表示部７に対向した位置に設けられ、開口８ａは、中央精算機１の駐車位置番号表示部８に対向した位置に設けられ、開口９ａは、中央精算機１の入力部９に対向した位置に設けられ、開口１０ａは、中央精算機１の硬貨投入口１０に対向した位置に設けられ、開口１１ａは、中央精算機１の紙幣挿入口１１に対向した位置に設けられ、開口１２ａは、中央精算機１のカード挿入口１２に対向した位置に設けられ、また、開口１３ａは、中央精算機１の釣銭放出口１３に対向した位置に設けられている。すなわち、これら開口５ａ〜１３ａは、カバーＣが設けられていても、利用者が何ら支障なく中央精算機１を操作できるように工夫されている。また、これら開口５ａ〜１３ａに対向する中央精算機１に設けられている入力部９や硬貨投入口１０等の案内部及び操作部に当る部分は、カバーＣの接客面部４ａ側に突出して形成されていて、表示内容が見やすく、かつ、操作がしやすいように工夫されている。
【００１３】
なお、図１では、図面を簡略化するために省略されているが、各開口５ａ〜１３ａにも、図３に示されるような案内がそれぞれ表示されている。
【００１４】
図中、１４ａは、中央精算機１に設けられているロック機構１４と同様な堅固な構造のロック機構である。
【００１５】
なお、上述のカバーＣは、中央精算機１の天井も覆うように構成されているが、防犯性に問題がなければ、カバーＣのうち天井部分を省略することができる。
【００１６】
また、上述の例では、処理機を中央精算機としたが、これを各種処理機とすることとができる。
【００１７】
【発明の効果】
本発明に係る処理機は、処理機の筐体の外側にその筐体を覆うカバーを配設するとともに、そのカバーには、前記処理機に設けられている案内部や操作部に対向して開口を設けたので、処理機の操作に支障を生ずることなく防犯性を高めることができる。
また、屋外設置型処理機に設けられている案内部及び操作部をカバー側に突出して形成したときは、利用者の利便性を高めることができる。
【図面の簡単な説明】
【図１】本発明に係る処理機を中央精算機に適用したときの正面図である。
【図２】図１のＡ−Ａ線縦面図である。
【図３】中央精算機の斜視図である。
【符号の説明】
１  中央精算機（屋外設置型処理機（処理機））
２  筐体
３  開閉扉
３ａ  開閉部
４  接客面
４ａ  接客面部
５ａ〜１３ａ  開口
１４ａ  ロック機構
Ｃ  カバー
Ｂ  基礎
【図１】
0004839453.tif 000002
【図２】
0004839453.tif 000003
【図３】
0004839453.tif 000004